【手続補正書】
【提出日】平成17年10月13日(2005.10.13)
【手続補正１】
【補正対象書類名】明細書
【補正対象項目名】発明の名称
【補正方法】変更
【補正の内容】
【発明の名称】画像読取装置及び画像形成装置
【手続補正２】
【補正対象書類名】明細書
【補正対象項目名】特許請求の範囲
【補正方法】変更
【補正の内容】
【特許請求の範囲】
【請求項１】
反転回転体と、
前記反転回転体に圧接し、画像が形成されたシートを前記反転回転体と挟んで前記反転回転体に沿って搬送する付勢回転体と、
前記反転回転体の最下点に対向する画像読取位置に搬送されたシート上の画像を読み取る読取手段と、を備えた画像読取装置において、
前記反転回転体の軸方向両側に配置され、前記画像読取位置に前記シートを押圧する一対の押圧手段を備え、
前記反転回転体の踏面、及び前記押圧手段の前記読取手段に対向する面は、白色であることを特徴とする画像読取装置。
【請求項２】
前記押圧手段は、前記シートを案内する案内面を有していることを特徴とする請求項１に記載の画像読取装置。
【請求項３】
前記押圧手段は、付勢手段によって前記画像読取位置に押圧されていることを特徴とする請求項１又は２に記載の画像読取装置。
【請求項４】
前記押圧手段は、弾性部材により形成されることを特徴とする請求項１乃至３のいずれか１項に記載の画像読取装置。
【請求項５】
前記付勢回転体は、前記画像読取位置の上流側、及び下流側に各々配設されることを特徴とする請求項１に記載の画像読取装置。
【請求項６】
前記上流側の付勢回転体の径が、前記下流側の付勢回転体の径よりも小さいことを特徴とする請求項５に記載の画像読取装置。
【請求項７】
前記反転回転体と、前記付勢回転体と、前記押圧手段と、前記読取手段と、前記画像読取位置に配設されて上面を前記シートが通過するシートガラスと、前記反転回転体と前記付勢回転体によって搬送される前記シートを排出する排出手段とを有するシート状原稿読取機構と、
ブック状原稿が載置されるプラテンガラスと、前記ブック状原稿を前記プラテンガラスに密着させる圧板とを有して、前記プラテンガラスの下方を前記読取手段が移動して前記ブック状原稿を読取可能なブック状原稿読取機構と、
を備えたことを特徴とする請求項１に記載の画像読取装置。
【請求項８】
前記圧板は、その上面に前記排出手段によって排出されたシートが積載される排出シート積載部を有していることを特徴とする請求項７に記載の画像読取装置。
【請求項９】
画像が形成されたシートが積載される原稿載置台と、
前記原稿載置台上のシートを給送するシート搬送手段と、
前記シート搬送手段によって搬送された前記シートを１枚ずつに分離する分離手段と、
を備えたことを特徴とする請求項１に記載の画像読取装置。
【請求項１０】
前記分離手段は、前記シートを挟んで１枚に分離する分離ローラと摩擦部材とを有していることを特徴とする請求項９に記載の画像読取装置。
【請求項１１】
シートに形成された画像を読み取る画像読取装置と、
前記画像読取装置によって読み取った画像をシートに形成する画像形成手段と、を備え、
前記画像読取装置が請求項１乃至１０のいずれか１つに記載の画像読取装置であることを特徴とする画像形成装置。
【手続補正３】
【補正対象書類名】明細書
【補正対象項目名】０００１
【補正方法】変更
【補正の内容】
【０００１】
【発明の属する技術分野】
本発明は、シートに形成してある画像を読み取る画像読取装置、特に、シートの画像読取位置において、シートの終端までの画像を読み取れる画像読取装置と、この装置を備えた画像形成装置とに関する。
【手続補正４】
【補正対象書類名】明細書
【補正対象項目名】００２０
【補正方法】変更
【補正の内容】
【００２０】
【課題を解決するための手段】
上記目的を達成するため、本発明の画像読取装置は、反転回転体と、前記反転回転体に圧接し、画像が形成されたシートを前記反転回転体と挟んで前記反転回転体に沿って搬送する付勢回転体と、前記反転回転体の最下点に対向する画像読取位置に搬送されたシート上の画像を読み取る読取手段と、を備えた画像読取装置において、前記反転回転体の軸方向両側に配置され、前記画像読取位置に前記シートを押圧する一対の押圧手段を備え、前記反転回転体の踏面、及び前記押圧手段の前記読取手段に対向する面は、白色であることを特徴としている。
【手続補正５】
【補正対象書類名】明細書
【補正対象項目名】００５６
【補正方法】変更
【補正の内容】
【００５６】
（実施態様１）反転回転体と、前記反転回転体に圧接し、画像が形成されたシートを前記反転回転体と挟んで前記反転回転体に沿って搬送する付勢回転体と、前記反転回転体の最下点に対向する画像読取位置に搬送されたシート上の画像を読み取る読取手段と、を備えた画像読取装置において、前記反転回転体の軸方向両側に配置され、前記画像読取位置に前記シートを押圧する一対の押圧手段を備え、前記反転回転体の踏面、及び前記押圧手段の前記読取手段に対向する面は、白色であることを特徴とする画像読取装置。
【手続補正６】
【補正対象書類名】明細書
【補正対象項目名】００６５
【補正方法】削除
【補正の内容】
【手続補正７】
【補正対象書類名】明細書
【補正対象項目名】００６６
【補正方法】変更
【補正の内容】
【００６６】
（実施態様５）前記反転回転体と、前記付勢回転体と、前記押圧手段と、前記読取手段と、前記画像読取位置に配設されて上面を前記シートが通過するシートガラスと、前記反転回転体と前記付勢回転体によって搬送される前記シートを排出する排出手段とを有するシート状原稿読取機構と、ブック状原稿が載置されるプラテンガラスと、前記ブック状原稿を前記プラテンガラスに密着させる圧板とを有して、前記プラテンガラスの下方を前記読取手段が移動して前記ブック状原稿を読取可能なブック状原稿読取機構と、を備えたことを特徴とする実施形態１に記載の画像読取装置。
【手続補正８】
【補正対象書類名】明細書
【補正対象項目名】００６７
【補正方法】変更
【補正の内容】
【００６７】
（実施態様６）画像が形成されたシートが積載される原稿載置台と、前記原稿載置台上のシートを給送するシート搬送手段と、前記シート搬送手段によって搬送された前記シートを１枚ずつに分離する分離手段とを備えたことを特徴とする実施形態１に記載の画像読取装置。
【手続補正９】
【補正対象書類名】明細書
【補正対象項目名】００６８
【補正方法】変更
【補正の内容】
【００６８】
（実施態様７）前記ブック状原稿読取機構は、前記排出手段によって排出されたシートが積載される排出シート積載部を有していることを特徴とする実施態様６に記載の画像読取装置。
【手続補正１０】
【補正対象書類名】明細書
【補正対象項目名】００６９
【補正方法】変更
【補正の内容】
【００６９】
（実施態様８）前記分離手段は、前記シートを挟んで１枚に分離する分離ローラと摩擦部材とを有していることを特徴とする実施態様７に記載の画像読取装置。
【手続補正１１】
【補正対象書類名】明細書
【補正対象項目名】００７０
【補正方法】変更
【補正の内容】
【００７０】
（実施態様９）シートに形成された画像を読み取る画像読取装置と、前記画像読取装置によって読み取った画像をシートに形成する画像形成手段と、を備え、前記画像読取装置が実施態様１乃至８のいずれか１つに記載の画像読取装置であることを特徴とする画像形成装置。